(57)【特許請求の範囲】
【請求項１】
複数のセグメント領域を含むユーザデータ領域と、
前記セグメント領域へのアクセスを制御するアクセス制御情報をストアする制御データ領域であって、前記アクセス制御情報はヘッダ部分および特定情報部分を含み、前記ヘッダ部分は、対応する前記アクセス制御情報が適用される前記セグメント領域を特定するセグメントリストと、前記特定されたセグメント領域の数を示しているセグメント数情報と、データを記録または再生しようと試みている装置によって前記アクセス制御情報が識別されないときに、記録媒体に適用可能な１つ以上の動作を特定する所定の規則とを含み、前記特定情報部分は前記対応するアクセス制御情報に特有の情報を含む制御データ領域と
を備えたことを特徴とする記録媒体。
【請求項２】
前記セグメントリストは、前記セグメント領域のアドレス情報を含むことを特徴とする請求項１に記載の記録媒体。
【請求項３】
前記アドレス情報は、前記セグメント領域の開始アドレス情報および終了アドレス情報含むことを特徴とする請求項２に記載の記録媒体。
【請求項４】
前記各セグメント領域の前記アドレス情報は８バイトで表され、前記セグメント領域の前記開始アドレス情報および前記終了アドレス情報は、それぞれ４バイトで表されることを特徴とする請求項３に記載の記録媒体。
【請求項５】
前記各セグメント領域の番号は、０から所定の数まであることを特徴とする請求項１に記載の記録媒体。
【請求項６】
前記アクセス制御情報は、前記特定されたセグメント領域に適用可能な機能または動作を特定することを特徴とする請求項１に記載の記録媒体。
【請求項７】
前記所定の規則は、前記アクセス制御情報が前記装置によって識別されないとき前記アクセスを制御することによって、前記記録媒体の互換性を拡大することを特徴とする請求項１に記載の記録媒体。
【請求項８】
前記アクセス制御情報が前記装置によって識別されないとき、前記所定の規則以外に前記アクセス制御情報によって特定された１つ以上の動作を考慮することなしに、前記アクセスが実行されることを特徴とする請求項７に記載の記録媒体。
【請求項９】
前記所定の規則は、前記セグメント領域に対するデータゾーンビットを含み、前記データゾーンビットは前記セグメント領域の各々に対して利用可能な動作を示していることを特徴とする請求項８に記載の記録媒体。
【請求項１０】
前記利用可能な動作は、読み取りおよび／または書き込みを含むことを特徴とする請求項９に記載の記録媒体。
【請求項１１】
前記アクセス制御情報のコピーをストアするバックアップ領域をさらに備えたこと特徴とする請求項１に記載の記録媒体。
【請求項１２】
前記セグメントリストによって特定される前記アクセス制御情報の前記数は、所定の値に制限されることを特徴とする請求項１に記載の記録媒体。
【請求項１３】
記録媒体へのアクセスを制御する方法において、
前記記録媒体から少なくとも１つのアクセス制御情報を読み取るステップであって、前記アクセス制御情報は、前記記録媒体の複数のセグメント領域へのアクセスを制御し、並びに、ヘッダ部分および特定情報部分を含んでおり、前記ヘッダ部分は、対応する前記アクセス制御情報が適用される前記セグメント領域を特定するセグメントリストと、前記特定されたセグメント領域の数を示しているセグメント数情報と、データを記録または再生しようとしている装置によって前記アクセス制御情報が識別されないときに、前記記録媒体に適用可能な１つ以上の動作を特定する所定の規則とを含み、前記特定情報部分は前記対応するアクセス制御情報に特有の情報を含むステップと、
前記アクセス制御情報に従って、前記セグメント領域にアクセスするステップと
を備えることを特徴とする方法。
【請求項１４】
前記セグメントリストは、前記特定されたセグメント領域のアドレスを示すことを特徴とする請求項１３に記載の方法。
【請求項１５】
前記セグメント領域は、前記アクセス制御情報が前記装置によって識別されないとき、前記所定の規則に基づいてアクセスされることを特徴とする請求項１３に記載の方法。
【請求項１６】
前記アクセスの間、前記アクセス制御情報によって特定された１つ以上の動作は、前記所定の規則を除いて考慮されないことを特徴とする請求項１５に記載の方法。
【請求項１７】
前記アクセス制御情報は、前記記録媒体のリードインエリアから読み取られることを特徴とする請求項１３に記載の方法。
【請求項１８】
前記記録媒体のバックアップ領域から、前記アクセス制御情報のコピーを読み取るステステップをさらに備えること特徴とする請求項１３に記載の方法。
【請求項１９】
記録媒体へのアクセスを制御する装置において、
前記記録媒体から情報を読み取るよう構成された読取りデバイスと、
前記読取りデバイスを制御して、前記記録媒体から、少なくとも１つのアクセス制御情報を読み取るよう構成されたコントローラであって、前記アクセス制御情報は、前記記録媒体の複数のセグメント領域へのアクセスを制御し、並びに、ヘッダ部分および特定情報部分を含んでおり、前記ヘッダ部分は、対応する前記アクセス制御情報が適用される前記セグメント領域を特定するセグメントリストと、前記特定されたセグメント領域の数を示しているセグメント数情報と、前記コントローラによって前記アクセス制御情報が識別されないときに、前記記録媒体に適用可能な１つ以上の動作を特定する所定の規則とを含み、前記特定情報部分は前記対応するアクセス制御情報に特有の情報を含み、前記読取りデバイスを制御して前記アクセス制御情報に従って前記セグメント領域をアクセスするよう構成されたコントローラと
を備えたことを特徴とする装置。
【請求項２０】
前記コントローラは、前記読取りデバイスを制御して、前記コントローラが前記アクセス制御情報を識別できないとき、前記所定の規則に従って前記セグメント領域にアクセスするよう構成されたことを特徴とする請求項１９に記載の装置。
【請求項２１】
前記コントローラは、前記読取りデバイスを制御して、前記所定の規則以外に前記アクセス制御情報によって特定された１つ以上の動作を考慮することなしに、前記セグメント領域にアクセスするよう構成されたことを特徴とする請求項１９に記載の装置。
【請求項２２】
前記コントローラは、前記読取りデバイスを制御して、前記記録媒体のバックアップ領域から前記アクセス制御情報のコピーを読み取るよう構成されたことを特徴とする請求項１９に記載の装置。
【請求項２３】
記録媒体に情報を記録する方法であって、
前記記録媒体の複数のセグメント領域へのアクセスを制御し、並びに、ヘッダ部分および特定情報部分を含んでいる少なくとも１つのアクセス制御情報を生成するステップであって、前記ヘッダ部分は、対応する前記アクセス制御情報が適用される前記セグメント領域を特定するセグメントリストと、前記特定されたセグメント領域の数を示しているセグメント数情報と、データを記録または再生しようとしている装置によって前記アクセス制御情報が識別されないときに、前記記録媒体に適用可能な１つ以上の動作を特定する所定の規則とを含み、前記特定情報部分は前記対応するアクセス制御情報に特有の情報を含むステップと、
前記記録媒体の中に、前記アクセス制御情報を記録するステップと
を備えることを特徴とする方法。
【請求項２４】
前記所定の規則は、前記アクセス制御情報が前記装置によって識別されないとき前記アクセスを制御することによって、前記記録媒体の互換性を拡大することを特徴とする請求項２３に記載の方法。
【請求項２５】
前記所定の規則以外に前記アクセス制御情報によって特定される１つ以上の動作を考慮することなしに前記アクセスが実行されることを特徴とする請求項２４に記載の方法。
【請求項２６】
前記記録媒体のバックアップ領域から、前記アクセス制御情報のコピーを読み取るステップをさらに備えることを特徴とする請求項２３に記載の方法。
【請求項２７】
前記アクセス制御情報は、前記記録媒体のリードインエリアの中に記録されることを特徴とする請求項２３に記載の方法。
【請求項２８】
記録媒体へ情報を記録する装置において、
前記記録媒体へ情報を記録するよう構成された記録デバイスと、
少なくとも１つのアクセス制御情報を生成するよう構成されたコントローラであって、前記アクセス制御情報は、前記記録媒体の複数のセグメント領域へのアクセスを制御し、並びに、ヘッダ部分および特定情報部分を含んでおり、前記ヘッダ部分は、対応する前記アクセス制御情報が適用される前記セグメント領域を特定するセグメントリストと、前記特定されたセグメント領域の数を示しているセグメント数情報と、前記コントローラによって前記アクセス制御情報が識別されないときに、前記記録媒体に適用可能な１つ以上の動作を特定する所定の規則とを含み、前記特定情報部分は前記対応するアクセス制御情報に特有の情報を含み、前記記録デバイスを制御して前記記録媒体に前記アクセス制御情報を記録するよう構成されたコントローラと
を備えたことを特徴とする装置。
【請求項２９】
前記コントローラは、前記記録デバイスを制御して、前記コントローラが前記アクセス制御情報を識別できないとき、前記所定の規則に従って前記セグメント領域にアクセスするよう構成されたことを特徴とする請求項２８に記載の装置。
【請求項３０】
前記コントローラは、前記記録デバイスを制御して、前記所定の規則以外に前記アクセス制御情報によって特定された１つ以上の動作を考慮することなしに、前記セグメント領域にアクセスするよう構成されたことを特徴とする請求項２９に記載の装置。
【請求項３１】
前記コントローラは、前記記録デバイスを制御して、前記記録媒体のバックアップ領域に前記アクセス制御情報のコピーを記録するよう構成されたことを特徴とする請求項２８に記載の装置。
【請求項３２】
前記コントローラは、前記記録デバイスを制御して、リードインエリアに前記アクセス制御情報を記録するよう構成されたことを特徴とする請求項２８に記載の装置。
【請求項３３】
前記セグメントリストは、対応するセグメント領域のみに適用される第２の所定の規則を含み、前記記録媒体への前記アクセスは、前記ヘッダ部分の中の前記所定の規則および前記第２の所定の規則の論理演算に基づいて決定されることを特徴とする請求項１に記載の記録媒体。
【請求項３４】
前記セグメントリストは、対応するセグメント領域のみに適用される第２の所定の規則を含み、前記記録媒体への前記アクセスは、前記ヘッダ部分の中の前記所定の規則および前記第２の所定の規則の論理演算に基づいて決定されることを特徴とする請求項１３に記載の方法。
【請求項３５】
前記セグメントリストは、対応するセグメント領域のみに適用される第２の所定の規則を含み、前記記録媒体への前記アクセスは、前記ヘッダ部分の中の前記所定の規則および前記第２の所定の規則の論理演算に基づいて決定されることを特徴とする請求項１９に記載の装置。
【請求項３６】
前記セグメントリストは、対応するセグメント領域のみに適用される第２の所定の規則を含み、前記記録媒体への前記アクセスは、前記ヘッダ部分の中の前記所定の規則および前記第２の所定の規則の論理演算に基づいて決定されることを特徴とする請求項２３に記載の方法。
【請求項３７】
前記セグメントリストは、対応するセグメント領域のみに適用される第２の所定の規則を含み、前記記録媒体への前記アクセスは、前記ヘッダ部分の中の前記所定の規則および前記第２の所定の規則の論理演算に基づいて決定されることを特徴とする請求項２８に記載の装置。
【発明の詳細な説明】
【技術分野】
【０００１】
本発明は、ＰＡＣ（Ｐｈｙｓｉｃａｌ  Ａｃｃｅｓｓ  Ｃｏｎｔｒｏｌ）および記録データに対する管理と、ＰＡＣおよび記録データを含む媒体（例えば、ブルーレイディスクなどの高密度光ディスク）と、この媒体にデータを記録および／または再生する装置並びに方法に関する。
【背景技術】
【０００２】
大容量のデータを記録するために、例えば光ディスクなどの媒体が用いられている。利用可能な光ディスクのうち、高画質のビデオデータおよび／または高音質のオーディオデータを大量に記録および／または保存できる新たな高密度光記録媒体（ＨＤ−ＤＶＤ）（例えば、ブルーレイディスク（以下、”ＢＤ”という）が開発されている。
【０００３】
ブルーレイディスク（ＢＤ）には、書換え可能なブルーレイディスク(ＢＤ−ＲＥ)と、追記型のブルーレイディスク（ＢＤ−ＷＯ）と、再生専用のブルーレイディスク（ＢＤ−ＲＯＭ）などがある。
【発明の開示】
【発明が解決しようとする課題】
【０００４】
しかしながら、従来のシステムには、バージョンの異なるドライブ間に互換性がないという問題点があった。例えば、以前の古い機能を備えた旧バージョンのドライブと、一つ以上の以後の機能を備えたドライブと情報をやり取りした媒体との相互作用には、困難があった。
【０００５】
本発明は、上記のような従来の問題点に鑑みてなされたものであって、本発明の実施形態では、高密度光ディスクなどの媒体上にセグメント情報を含むＰＡＣを提供し、セグメント情報を含むＰＡＣを用いて媒体にデータを記録および再生する装置並びに方法を提供する。
【０００６】
また、本発明の実施形態では、データ保護特性、データ管理特性および再生互換性を向上し、データの破壊を防止し、不必要な反復動作を減少させるためにセグメント情報が記録されるＰＡＣを提供する。
【０００７】
また、本発明の実施形態では、高密度光ディスクなどの媒体、セグメント情報を含むＰＡＣの管理装置並びに方法を提供する。
【課題を解決するための手段】
【０００８】
一実施形態によると、本発明は、記録媒体のデータ領域管理のためのデータ構造を有する記録媒体を対象としており、記録媒体の記録および／または再生を管理するための情報を含む少なくとも一つのＰＡＣクラスタを備えている。各ＰＡＣクラスタは、各ＰＡＣクラスタに共通するＰＡＣヘッダと、各ＰＡＣクラスタ特有の情報を含むＰＡＣ特定情報領域とを含む。ＰＡＣヘッダは、セグメントの数を識別するためのセグメント数情報と、記録媒体のユーザデータ領域内の各セグメントを識別するためのセグメントリスト領域とを含む。
【０００９】
一実施形態によると、本発明は、記録媒体の記録または再生方法を対象とする。記録媒体の記録および／または再生を管理するための情報を含む少なくとも一つのＰＡＣクラスタであって、各ＰＡＣクラスタがセグメント数情報およびセグメントエントリーリストを含む少なくとも一つのＰＡＣクラスタを記録または再生するステップと、ＰＡＣクラスタが未知であり、そのセグメント数情報がこの記録媒体のユーザデータ領域内の少なくとも一つのセグメントを識別する場合、この少なくとも一つのセグメントに対するユーザデータ領域に対する記録および／または再生を行うステップとを含む。
【００１０】
また一実施形態によると、本発明は、記録媒体の記録または再生方法を対象とする。記録媒体のユーザデータ領域内のセグメント数をそれぞれ含む少なくとも一つのＰＡＣクラスタに基づいて、この記録媒体に記録されたユーザデータ領域を再生するステップを含み、セグメント数が０個を示す場合は、ユーザデータ領域全体に対して再生を行い、そうでない場合は、各セグメントに対して再生を行う。
【００１１】
また、一実施形態によると、本発明は、記録媒体の記録および／または再生装置を対象とする。記録媒体にデータを記録し、記録媒体からデータを再生するように光記録装置を駆動するドライバと、記録媒体の記録および／または再生を管理するための情報を有している少なくとも一つのＰＡＣクラスタを含む少なくとも一つのＰＡＣゾーンに基づいて、データを記録または再生するようドライバを制御するコントローラとを備える。各ＰＡＣクラスタは、セグメント数情報およびセグメントエントリーリストを含む。このコントローラは、ＰＡＣクラスタが未知でありそのセグメント数情報が記録媒体のユーザデータ領域内の少なくとも一つのセグメントを識別する場合、この少なくとも一つのセグメントに対するユーザデータ領域に対して、記録および／または再生を行う。
【００１２】
また一実施形態によると、本発明は、記録媒体の記録および／または再生装置を対象とする。記録媒体からデータを再生するように光記録装置を駆動するドライバと、記録媒体の記録および／または再生を管理するための情報を有する少なくとも一つのＰＡＣクラスタを含む少なくとも一つのＰＡＣゾーンに基づいてデータを再生するようにドライバを制御するコントローラとを備える。各ＰＡＣクラスタは、セグメント数情報およびセグメントエントリーリストを含む。このコントローラは、記録媒体に記録されたユーザデータ領域内のセグメント数をそれぞれ含む少なくとも一つのＰＡＣクラスタに基づいて、記録媒体に記録されたユーザデータ領域を再生し、セグメント数が０個を示す場合は、ユーザデータ領域全体に対して再生を行い、セグメント数が０個を示してない場合は、各セグメントに対して再生を行う。
【００１３】
前述した本発明の一般的な説明および後述する実施例は、一つの例に過ぎないことに注意されたい。以下、本発明について詳しく説明する。
【発明の効果】
【００１４】
本発明によれば、データ保護特性、データ管理特性および再生互換性を向上し、データの破壊を防止し、不必要な反復動作を減少させるためにセグメント情報が記録されるＰＡＣを提供することができる。
【発明を実施するための最良の形態】
【００１５】
以下、図面を参照しながら、本発明の実施形態について詳しく説明する。なお、図面全体において同一または類似な構成要素には同一の符号を付し、それに対する説明は省略する。
【００１６】
図１は、本発明の一実施形態による高密度光ディスクにおけるＰＡＣゾーンを示す図である。図１に示すように、高密度光ディスクは、内周から外周にかけて、リードインゾーンと、データゾーンと、リードアウトゾーンと、に区分される。また、リードインゾーンは、多様な情報を記録するためのＩＮＦＯ１ゾーンと、ＩＮＦＯ２ゾーンと、に区分される。ここで、ＩＮＦＯ２ゾーンおよびＩＮＦＯ１ゾーンは、ＰＡＣゾーンを含むことができる。
【００１７】
便宜上、ＩＮＦＯ２ゾーンに割り当てられたＰＡＣゾーンをＰＡＣ２ゾーンと表記し、ＩＮＦＯ１ゾーンに割り当てられたＰＡＣゾーンをＰＡＣ１ゾーンと表記する。ＰＡＣ２ゾーンおよびＰＡＣ１ゾーンのうち一つにはオリジナルのＰＡＣ（ｏｒｉｇｉｎａｌ  ＰＡＣ）が記録され、残りの一つにはオリジナルのＰＡＣのコピーを記録するためのバックアップゾーンが含まれる。ディスクの内周から外周方向へ書き込む場合、オリジナルのＰＡＣがＰＡＣ２ゾーンに記録され、バックアップＰＡＣがＰＡＣ１ゾーンに記録されると都合が良い。
【００１８】
新しいバージョンのドライブ装置に互換性のある機能が追加されたディスク上のこれら機能を、旧バージョンのドライブ装置が検出できないときに、起こり得る問題に対処するために、このＰＡＣゾーンが提供される。このＰＡＣゾーンは、一つ以上の”未知の規則（ｕｎｋｎｏｗｎ  ｒｕｌｅｓ)”を用いて、互換性の問題に対処することができる。
【００１９】
“未知の規則”は、ディスク上の予測可能な動作、例えば、読み取り、書き込みなどの基本的な制御と、欠陥ゾーンの線形交替（ｌｉｎｅａｒ  ｒｅｐｌａｃｅｍｅｎｔ）と、論理的重ね書き（ｌｏｇｉｃａｌ  ｏｖｅｒｗｒｉｔｅ）などを制御するために用いられる。また、”未知の規則”を適用できる領域がディスク上に含まれ、例えば、ディスクの特定の領域またはディスク全体を定義するためのセグメントが含まれる。これらについては、以下詳しく説明する。
【００２０】
旧バージョンのドライブ装置が”未知の規則”を用いてアクセスできるディスク上の領域を定義することによって、新しいバージョンのディスクは、旧バージョンのドライブ装置の不必要なアクセス動作を減少させる。
【００２１】
また、旧バージョンのドライブ装置がＰＡＣを用いてアクセスできる領域をディスクの物理的領域上に定義することによって、ユーザデータが記録されたデータ領域を一層確実に保護するようになり、ディスクに対する不正なアクセス（例えば、ハッキング）を防止または減少させることができる。
【００２２】
以下、リードインゾーン内において、ＰＡＣ２ゾーンおよびＰＡＣ１ゾーンを含むＩＮＦＯ２およびＩＮＦＯ１ゾーンについて、高密度光ディスクの書換え可能特性の観点から検討される。
【００２３】
図２は、本発明の一実施形態による高密度光ディスク上のＩＮＦＯ２およびＩＮＦＯ１ゾーンの構成を示す図である。
【００２４】
図２に示すように、書換え可能なブルーレイディスク（ＢＤ−ＲＥ）の場合、ＩＮＦＯ２ゾーンは、合計２５６クラスタを持っている。これらは、ＰＡＣ２ゾーンの３２クラスタ、欠陥管理のためのＤＭＡ（ｄｅｆｅｃｔ  ｍａｎａｇｅｍｅｎｔ  ａｒｅａ）２ゾーンの３２クラスタ、制御情報が記録されたＣＤ（ｃｏｎｔｒｏｌ  ｄａｔａ）２ゾーンの３２クラスタ、バッファ領域であるＢＺ（ｂｕｆｆｅｒ  ｚｏｎｅ）３の３２クラスタを含む。ＩＮＦＯ１ゾーンは、バッファ領域のＢＺ２ゾーンの３２クラスタ、ドライブに特定の情報を保存するためのドライブ領域の３２クラスタ、欠陥を管理するためのＤＭＡ１ゾーンの３２クラスタ、制御情報を記録するためのＣＤ１ゾーンの３２クラスタおよび／またはＰＡＣゾーンとして活用できるＢＺ１-ＰＡＣ１ゾーンを含む。
【００２５】
追記型の高密度光ディスク（例えばＢＤ−Ｒ）の場合は、ＩＮＦＯ２ゾーンは、ＰＡＣ２ゾーン、ＤＭＡ２ゾーン、ＣＤ２ゾーンおよびＢＺ３ゾーンのそれぞれ３２クラスタを含め、合計２５６個のクラスタを持っている。ＩＮＦＯ１ゾーンは、ＢＺ２ゾーン、ＤＭＡ１ゾーン、ＣＤ１ゾーンおよび／またはＢＺ１-ＰＡＣ１ゾーンそれぞれの３２クラスタと、ドライブ領域の１２８クラスタとを含む。
【００２６】
再生専用の高密度光ディスク（例えばＢＤ−ＲＯＭ）の場合は、ＩＮＦＯ２ゾーンは、ＰＡＣ２ゾーン、ＣＤ２ゾーン、ＢＺ３ゾーンのそれぞれ３２クラスタを含めて、合計２５６個のクラスタを持っている。ＩＮＦＯ１ゾーンは、ＣＤ１ゾーンおよび／またはＢＺ１-ＰＡＣ１ゾーンそれぞれの３２クラスタを含め、合計２５６クラスタを持っている。
【００２７】
本発明の実施形態においては、高密度光ディスクの書換え可能な特性に従って、リードインゾーン内のＩＮＦＯ２ゾーンおよび／またはＩＮＦＯ１ゾーンに、それぞれ３２クラスタを有するようにＰＡＣゾーンが割り当てられる。
【００２８】
３２クラスタのＰＡＣゾーン内において、複数の有効なＰＡＣを記録するために、一つのＰＡＣは一つのクラスタを持つ。以下、一つのＰＡＣが一つのクラスタとして記録される構造例を、図３を参照しながら説明する。
【００２９】
図３は、本発明の一実施形態による高密度光ディスクに記録される一つのＰＡＣを示している。
【００３０】
図３に示すように、１クラスタのサイズ（３２セクタ）を持つ一つのＰＡＣは、ヘッダゾーンと、特定のディスクドライブ（例えば、光ディスクドライブ）特有の特定情報ゾーンとを含む。ＰＡＣヘッダゾーンには、”未知のＰＡＣ規則”およびセグメントに対する情報などの様々な種類のＰＡＣ情報を記録するためにＰＡＣの最初のセクタに３８４バイトが割り当てられる。ＰＡＣゾーンの他の領域には、”既知の規則（ｋｎｏｗｎ  ｒｕｌｅｓ）”という（光）ディスクドライブに特定の情報が記録される。
【００３１】
上記の構造で記録されたＰＡＣの構造例を、図４を参照しながら説明する。説明の便宜上、より詳細な説明を必要とするＰＡＣの特定のフィールドについては、その特定のフィールドを示す図面を参照しながら後に説明される。
【００３２】
図４は、本発明の一実施形態による高密度光ディスク上の一つのＰＡＣを示している。
【００３３】
図４に示すように、ＰＡＣは、全てのＰＡＣに適用されるヘッダ部分と、ドライブ固有の情報が記録される領域とを含む。
【００３４】
ヘッダ部分は、例えば、”ＰＡＣ_ＩＤ”の４バイト、”未知のＰＡＣ規則”の４バイト、”全体ディスクフラグ（Entire Disc Flag）”の１バイト、”セグメント数(Number of Segments)”の１バイト、および／または３２個の”セグメント_０”〜”セグメント_３１”のそれぞれの８バイトを含む。
【００３５】
”ＰＡＣ_ＩＤ”は、現在のＰＡＣの状態および識別コードを備えることができる。例えば、”ＰＡＣ_ＩＤ”が‘００  ００  ００  ００'ビットを含む場合、”ＰＡＣ_ＩＤ”は、現在のＰＡＣが使用されていないことを示す。”ＰＡＣ_ＩＤ”が‘ＦＦ  ＦＦ  ＦＦ  ＦＥ’ビットを含む場合、”ＰＡＣ_ＩＤ”は、現在のＰＡＣゾーンが欠陥やこれに類似したものによって使用されていないことを示す。”ＰＡＣ_ＩＤ”が‘ＦＦ  ＦＦ  ＦＦ  ＦＦ”ビットを含む場合、”ＰＡＣ_ＩＤ”は、たとえこのＰＡＣゾーンが以前に用いられていても、再び使用することが可能であることを示す。
【００３６】
‘５４  ５３  ５４  ００'などの予め決められたビットで”ＰＡＣ_ＩＤ”を記録することによって、その”ＰＡＣ_ＩＤ”は、そのディスクが現在のドライブが自由にアクセス可能なディスクであるかどうかを決定するためのコードとして用いられる。すなわち、現在のドライブが入力された”ＰＡＣ_ＩＤ”を認識できない場合（例えば、現在のドライブがバージョンの不一致やそれに類似した問題によって現在のＰＡＣを認識できない場合)、‘５４  ５３  ５４  ００'ビットは、”未知のＰＡＣ規則”フィールド内に記録された情報を参照するコードとして用いられる。
【００３７】
上述したように、”未知のＰＡＣ規則”フィールドは、現在のＰＡＣを認識できないドライブの動作範囲を指定するフィールドとして用いられる。以下、これに対しては図５を参照しながら具体的に説明する。
【００３８】
図５は、本発明の一実施形態による”未知のＰＡＣ規則（Unknown PAC rules）”フィールドを示している。
【００３９】
図５に示すように、ディスク上の様々な領域の制御可能性の程度は、”未知のＰＡＣ規則”によって決定される。例えば、図５において、”領域”の列はディスク上の制御可能な領域を示し、”制御”の列は読み取り／書き込みなどの制御タイプを示し、”ビット数”の列は制御に必要なビット数を示す。”ビット数”の列で追加された各ビットは、記録／再生面が２つある２層ディスクである場合を示す。
【００４０】
例えば、図５の”領域”の列においてＰＡＣゾーンの読み取り／書き込み制御可能性は、”ＰＡＣゾーン１、２”フィールドで示され、欠陥管理領域の書き込み制御可能性は、”ＤＭＡ領域１、２”フィールドで示される。欠陥ゾーンに対する交替領域の書き込み制御可能性は、”交替クラスタ”フィールドで示され、データゾーンの読み取り／書き込み制御可能性は、”データゾーン”フィールドで示され、論理的なオーバライト制御可能性は、”論理的オーバライト”フィールドで示される。
【００４１】
書き込みの制御可能性は、書換え可能なディスクであるＢＤ−ＲＥおよびＢＤ−Ｒのみに適用することができる。欠陥領域に対する交替領域の書き込み制御可能性も書き換え可能なディスクであるＢＤ−ＲＥおよびＢＤ−Ｒに適用できる。結果的に、本発明の様々な特徴は、高密度（光）ディスクの書き換え可能特性に依存できる。
【００４２】
上記の技術を用いると、バージョンが一致しないドライブに対して、”未知のＰＡＣ規則”フィールドによってディスク上の制御可能領域を指定できるようになる。また、このような技術は、ユーザの選択によってディスク上の特定の物理的領域へのアクセスを制御するために適用することもできる。
【００４３】
図４を再び参照すると、”全体ディスクフラグ”フィールドは、ＰＡＣがディスクの全体領域に適用可能であることを示すフィールドとして用いられ、”セグメント数(Number of Segments)”フィールドは、ＰＡＣが適用されるセグメント領域の数を示すフィールドである。
【００４４】
一実施形態によると、最大個数のセグメントを一つのＰＡＣに割り当てることができる。また、一実施形態によると、最大３２のセグメントが一つのＰＡＣに割り当てられ、この割り当てられたセグメントに関する情報は、それぞれ８バイトを含む”セグメント_０”から”セグメント_３１”までのフィールドに記録される。各”セグメント_０〜３１”フィールドには、割り当てられたセグメント領域の最初の物理的セクタ番号（ＰＳＮ）および最後の物理的セクタ番号が記録される。
【００４５】
以下、セグメントに対して具体的に説明する。図６は、本発明の一実施形態による高密度光ディスクのセグメント領域を示している。
【００４６】
図６に示すように、高密度光ディスク上でＰＡＣが適用されるセグメント領域は、必要によって最大個数（例えば３２）のセグメント領域が存在し得る。この最大個数のセグメント領域は、”セグメント０”から開始される。
【００４７】
例えば、割り当てられたセグメント領域の開始位置を示す最初の物理的セクタ番号（最初のＰＳＮ）と、最後の位置を示す最後の物理的セクタ番号（最後のＰＳＮ）とを、ＰＡＣ２およびＰＡＣ１ゾーンの”セグメント”フィールドに記録することによって、光ディスクドライブはセグメント領域の位置を識別できるようになる。
【００４８】
配置の一例においては、割り当てられた複数のセグメントは、互いにオーバラップする必要がなく、その開始の位置および最後の位置は、クラスタ間の境界に指定することができる。
【００４９】
このようにして、本発明の実施形態では、複数個（例えば、３２）のセグメント領域を管理するために複数のＰＡＣを含むことができる。以下、これについてより具体的に説明する。
【００５０】
図７は、本発明の一実施形態による高密度光ディスク上の一つのＰＡＣを示している。
【００５１】
図７に示すように、それぞれ共通のクラスタサイズを有する複数の有効なＰＡＣは、３２クラスタからなる一つのＰＡＣゾーン（例えば、ＩＮＦＯ２またはＩＮＦＯ１のＰＡＣゾーン）に記録される。
【００５２】
一実施形態によると、ヘッダ部分は、”ＰＡＣ_ＩＤ”の４バイト、”未知のＰＡＣ規則”の４バイト、”ＰＡＣヘッダタグ（ｈｅａｄｅｒ  ｔａｇ）”の１バイト、”Entire_disc_flag”の１バイト、”定義されたセグメント数”の１バイトおよび／または３２個の”セグメント_０”〜”セグメント_３１”のそれぞれの例えば８バイトを含んでいる。
【００５３】
“ＰＡＣヘッダタグ”は、ドライブに固有の情報を有する特定ＰＡＣ（ｓｐｅｃｉｆｉｃ  ＰＡＣ）をそれぞれ含む各クラスタに連係するために用いられる。”ＰＡＣヘッダタグ”は、（０１）から始めて、新しいＰＡＣが追加されるごとに１ずつ増加される。
【００５４】
例えば、”ＰＡＣヘッダタグ”のビットがＦＦであると、新しいＰＡＣは追加されてないことを示し、ビットが００であると、”ＰＡＣヘッダタグ”が用いられてないことを示す。
【００５５】
図８は、本発明の他の実施形態による高密度光ディスク上の一つのＰＡＣを示している。図８に示すように、本発明の他の実施形態によるＰＡＣは、ヘッダ部分と、ドライブに固有の特定情報を有する領域とを含む。ヘッダ部分は、”ＰＡＣ_ＩＤ”の４バイト、”未知のＰＡＣ規則”の４バイト、”ＰＡＣヘッダタグ”の１バイト、”Entire_disc_flag”の１バイト、”セグメントセットに対するバイトアドレス(Byte address for the Set  of Segments)”の２バイト、”セット内に定義されたセグメントの数(Number of segments defined in the Set)”の２バイトおよび／またはそれぞれ８バイトを持つ３２セグメントに対して指定が予約されている”セグメントに対する予約(Reserved for Segment)”フィールドをさらに含む。
【００５６】
本発明の他の実施形態によるＰＡＣ構造は、セグメントセットに対するバイトアドレスを含む。すなわち、セグメントに対する指定が予約されている領域においては、定義されたセグメント領域の数を、”セグメントセット内に定義されたセグメント数（Number of segments defined in the Set：N_Segs）”フィールドに表示することができる。また、開始位置のバイトアドレスを、”セグメントのセットに対するバイトアドレス”フィールドに表示することができる。この例では、定義された各セグメントを連続的に用いることが好都合である。
【００５７】
図９は、本発明の他の実施形態による高密度光ディスク上の一つのＰＡＣを示している。図９に示すように、本発明の他の実施形態によるＰＡＣは、ヘッダ部分と、ドライブに固有の特定情報を有する領域とを含む。ヘッダ部分は、”ＰＡＣ_ＩＤ”の４バイト、”未知のＰＡＣ規則”の４バイト、”ＰＡＣヘッダタグ”の１バイト、”全体ディスクフラグ(Entire_disc_flag)”の１バイト、”主セグメントに対するバイトアドレス(Byte address for the Main Set of Segments)”の２バイト、”主セグメント内に定義されたセグメント数（Ｎ_Ｍ_Ｓｅｇｓ）”の２バイト、”付加セグメントに対するバイトアドレス（Ｎ_Ａ_Ｓｅｇｓ）”の２バイトおよび／または特定ドライブに固有の特定情報領域内にある”特定ＰＡＣ内において使用されていない部分(Unused part in the specific PAC)”フィールドをさらに含む。
【００５８】
本発明の他の実施形態によるＰＡＣ構造は、主セグメントセットおよび付加セグメントセットを含む。３２セグメント領域に追加的なセグメント領域をさらに割り当てる場合に用いるために、セグメント領域を追加的に割り当てることができる。
【００５９】
例えば、”主セグメントセット内に定義されたセグメントの数（Ｎ_Ｍ_Ｓｅｇｓ）”フィールドに定義された主セグメントの数を記録し、その開始位置は”主セグメントセットに対するバイトアドレス”フィールドに記録できる。すなわち、”主セグメントセットに対するバイトアドレス”フィールド上に記録された情報は、定義された主セグメント領域に対するポインタとしての役割をする。
【００６０】
定義された付加セグメント数は、”付加セグメントセット内に定義されたセグメント数（Ｎ_Ａ_Ｓｅｇｓ）”フィールドを用いて記録し、その開始位置は、”付加セグメントセットに対するバイトアドレス”フィールド上に記録できる。
【００６１】
この場合、付加的なセグメント領域は、１クラスタサイズ有する一つのＰＡＣゾーン内の特定ＰＡＣ内に使用されていない部分を設けて、領域（Ｎ_Ａ_Ｓｅｇｓ）に割り当てることができる。
【００６２】
前述のＰＡＣの構造例は、３２セグメントの領域以外に付加セグメント領域を管理できるようにする。
【００６３】
本発明のいくつかの実施形態は、下記に説明するように、ディスク全体領域、割り当てられた全てのセグメント領域、または、指定されたＰＡＣを使用してそれぞれ割り当てられたセグメント領域に、制御情報を記録することを対象としている。
【００６４】
図１０は、本発明の実施形態による高密度光ディスク上のセグメント領域に対する制御情報を示している。
【００６５】
図１０に示すように、割り当てられたセグメントは、８バイトエントリーで表現され、セグメント領域の最初の物理的セクタ番号の大きさは３２ビット、最後の物理的セクタ番号の大きさは３２ビットである。したがって、光ディスクドライブは、記録されたＰＡＣのセグメント情報を通して、割り当てられたセグメントに対する位置情報を得ることができる。
【００６６】
この例においては、上述したように、複数のセグメント領域（一つ以上のセグメント領域）を一つ以上のＰＡＣによって管理することができる。少なくとも一つのセグメント領域が割り当てられた場合、光ディスクドライブは、”セグメント数”フィールドを通して割り当てられたセグメントの数を決定し、”未知のＰＡＣ規則”の”データゾーン”フィールドを通して、その領域に対する読み取り、書き込みおよび／または他の同様な動作などの制御可能性を決定することができる。
【００６７】
すなわち、セグメント領域が割り当てられず、”全体ディスクフラグ(Entire_disc_flag)”フィールドがディスク全体領域に対してＰＡＣが適用されることを示すよう書き込まれている場合、上述したように、”未知のＰＡＣ規則”の”データゾーン”フィールドが、光ディスク上のデータ領域に対する読み取り、書き込みおよび／または他の同様な動作などのアクセス可能性（ａｃｃｅｓｓｉｂｉｌｉｔｙ）を示すフィールドとして活用される。しかし、セグメント領域が割り当てられて”セグメント数”フィールドが書き込まれている場合は、”未知のＰＡＣ規則”の”データゾーン”フィールドは、割り当てられた全体のセグメント領域に対するアクセス可能性を示すフィールドとして活用される。
【００６８】
本発明の一実施形態によれば、”セグメント”フィールドに記録される情報として、位置情報の他に、セグメント領域の制御に関する情報も記録することができる。以下、これを図面に基づいて説明する。
【００６９】
図１１は、本発明の他の実施形態による高密度光ディスク上のセグメント領域に対する制御情報を示している。
【００７０】
一つのセグメントは、一つのエントリーを用いて表現され、関連するセグメント領域の制御可能性を示す”Ｓｔａｔｕｓ１”フィールドと”Ｓｔａｔｕｓ２”フィールド、関連するセグメント領域の最初の物理的セクタ番号を示す”最初のＰＳＮ”フィールドおよび／または関連するセグメント領域の最後の物理的セクタ番号を示す”最後のＰＳＮ”フィールドを含む。
【００７１】
“Ｓｔａｔｕｓ１”フィールドは、関連するセグメント領域の制御可能性を示すために４ビットの制御情報によって表現される。例えば、”Ｓｔａｔｕｓ１”フィールドが”００００”であると、関連するセグメント領域に対する再生または記録のためのアクセスが不可能であることを示す。さらに、”０００１”であると、再生のみのためにアクセスが可能であることを示し、”００１０”であると、記録のみのためにアクセスが可能であることを示し、”００１１”であると、関連するセグメント領域に対するアクセスが可能であることを示している。
【００７２】
したがって、光ディスクドライブは、”Ｓｔａｔｕｓ１”および”Ｓｔａｔｕｓ２”フィールドを通して関連するセグメント領域に対するアクセス可能可否を確認することで、関連するセグメント領域に対する不要なアクセス動作を減少させることができる。そして、複数のセグメント領域が割り当てられた場合において、各セグメント別にアクセス可能性を制御できるようになる。
【００７３】
この場合、”Ｓｔａｔｕｓ２”フィールドは、将来のために指定が予約されたフィールドであって、現在用いられてはいない。例えば、”Ｓｔａｔｕｓ２”フィールドは”００００”ビットで記録される。
セグメント領域が割り当てられた場合、このような各セグメント領域に対する制御は、”未知のＰＡＣ規則”フィールドの”データゾーン”フィールドで定義したセグメント領域に対する制御可能性と互いに一致しなくなる。
【００７４】
例えば、”データゾーン”フィールドでは、全体セグメント領域に対する読み取りおよび書き込みなどの全ての種類のアクセスが可能になっているが、”セグメント”フィールドでは、関連するセグメント領域に対する読み取り（再生）のみが可能になっている。
【００７５】
このような場合は、”セグメント”フィールドが示している関連するセグメント領域に対する再生のみの制御が可能となる。すなわち、”データゾーン”フィールドの制御可能性に従って、その関連するセグメント領域の制御は、”セグメント”フィールドとの論理積（ＡＮＤ）を使用して可能になる。
【００７６】
したがって、”データゾーン”フィールドが、割り当てられた全てのセグメント領域に対する読み取りまたは書き取りなどのアクセスが不可能であることを示す場合、”セグメント”フィールドの制御可能性とは関係なしに、全てのセグメント領域に対するアクセスが不可能となる。また、”データゾーン”フィールドが、全てのセグメント領域に対してアクセスが可能なように設定されたとしても、”セグメント”フィールドが各々のセグメント領域に対してアクセスが不可能であると設定されている場合は、そのセグメント領域に対するアクセスは不可能となる。
【００７７】
上述したように、このような特性を有する高密度光ディスクのＰＡＣに対し、その書き込み制御に対する部分は、物理的に書き込み可能な高密度光ディスク（ＢＤ−Ｒ、ＢＤ−ＲＥ）に適用でき、その高密度光ディスクの記録可能特性に依存するようになる。
【００７８】
図１１の”最初のＰＳＮ”フィールドには、関連するセグメント領域の最初の物理的セクタ番号が記録され、”最後のＰＳＮ”フィールドには、関連するセグメント領域の最後の物理的セクタ番号が記録される。よって、ディスク上でのセグメント領域の位置を示すようになる。
【００７９】
図１２は、本発明の一実施形態による光記録再生装置の構成を示したブロック図である。図１２に示すように、本発明による光記録再生装置は、光ディスクの記録再生を行う記録／再生部１０と、これを制御するホストまたはコントローラ２０と、を含んで構成される。一実施形態において、記録／再生部１０は、本発明の様々な実施形態で述べたように、”光ディスクドライブ”として動作できる。
【００８０】
一実施形態において、ホスト２０は、記録／再生部１０に、光ディスクの特定領域に対する書き込みまたは再生命令を下し、記録／再生部１０は、ホスト２０の命令にしたがって特定領域に対する記録再生を行う。
【００８１】
記録／再生部１０は、ホスト２０とデータおよび命令を取り交わすなどの通信を行うインターフェース１２と、光ディスクにデータを直接書き込み読み取るピックアップ１１と、このピックアップ１１から信号を受信して所望の信号値を再生するか、書き込まれる信号を光ディスクに書き込みできる信号に変調するデータプロセッサ１３と、光ディスクから正確に信号を読み取るか、光ディスクに信号を正確に書き込むようにピックアップ１１を制御するサーボ１４と、管理情報およびデータを含む多様な情報が一時保存されるメモリ１５と、記録／再生部１０の多様な構成要素を制御するマイコン１６と、を含む。
【００８２】
以下、このような光記録再生装置の例を用いて、書き込み可能な高密度光ディスクにＰＡＣを記録する方法の例を説明する。
【００８３】
光ディスクが光記録再生装置内に挿入されると、この光ディスクから管理情報を読み取って記録／再生部１０内のメモリに保存することで、光ディスクの記録再生時に活用できるようにする。
【００８４】
このような状態で、ユーザが光ディスクの特定領域に書き込みたい場合、ホスト２０は、これを書き込み命令にして、書き込みをしたい位置に関する情報と書き込むデータとを一緒に記録／再生部１０に伝達する。
【００８５】
記録／再生部１０内のマイコン１６は、書き込み命令を受信し、メモリ１５に保存された各管理情報から、ホスト２０が書き込みたい光ディスク内の領域が欠陥領域であるかどうかを確認する。欠陥領域でない領域に、ホスト２０からの書き込み命令にしたがってデータの書き込みを行うことができる。
【００８６】
記録／再生部１０のマイコン１６は、ディスク全体またはディスクの特定領域上への書き込みが従来バージョンの記録再生装置にはない新しい機能を含んでおり、従来バージョンの記録再生装置が認識できないと判断される場合、または、ユーザが設定した制限によってディスク上の特定領域の書き込みまたは再生などの機能を制限する場合、この領域に関する制御情報をディスク上のＰＡＣゾーンに”未知のＰＡＣ規則”として記録することができる。記録／再生部１０のマイコン１６は、書き込まれた状態に対するＰＡＣ_ＩＤなどのＰＡＣ情報と、ディスクの特定領域に対する制御情報であるセグメント情報を書き込むこともできる。
【００８７】
この例では、記録されるＰＡＣがディスク全体領域に対する制御情報を含む場合、” Entire_disc_flag”フィールドを記録し、少なくとも一つのセグメント領域がディスクの所定領域に割り当てられ、その領域全体に対するアクセスを制御する場合、”セグメント数”フィールドに割り当てられたセグメント領域の数を記録し、”未知のＰＡＣ規則”の”データゾーン”フィールドにアクセス可能性および／または他の関連情報などの制御情報を記録することができる。また、各セグメント領域に対して個別的な制御を望む場合、”セグメント”フィールドにセグメントの制御および位置情報を記録することができる。
【００８８】
一つのＰＡＣは、ＩＮＦＯ２ゾーンのＰＡＣ２ゾーン内に一つのクラスタサイズで記録され、ＩＮＦＯ１ゾーンのＰＡＣ１ゾーンには、ＰＡＣおよびそのコピーをバックアップ用として記録することができる。
【００８９】
マイコン１６は、データが記録される領域またはＰＡＣゾーンの位置情報およびそのデータを、サーボ１４およびデータプロセッサ１３に伝達し、ピックアップ１１を通して光ディスク上の所望の位置において記録を完了させる。
【００９０】
以下、上記の方法によってＰＡＣ情報が記録された高密度光ディスクを、記録し再生する方法を説明する。
【００９１】
光ディスクが光記録再生装置内に挿入されると、光ディスクから管理情報を読み取って記録／再生部１０内のメモリに保存することによって、光ディスクの記録再生時に活用できる。
【００９２】
メモリ１０に保存された情報には、ディスク上のＰＡＣゾーン内に含まれた各種領域の位置情報が含まれる。特に、ＰＡＣゾーン内の有効ＰＡＣに対する位置は、ディスク定義構造（Ｄｉｓｃ  Ｄｅｆｉｎｉｔｉｏｎ  Ｓｔｒｕｃｔｕｒｅ：ＤＤＳ）情報から知ることができる。有効ＰＡＣの位置が知られた後、ＰＡＣのＰＡＣ_ＩＤフィールドを確認し、そのＰＡＣ_ＩＤが認識可能なＰＡＣ_ＩＤであるかどうかを確認することができる。
【００９３】
ＰＡＣ_ＩＤが認識可能である場合は、現在の記録再生装置とディスクにデータを書き込んだ記録再生装置のバージョンが同一であるか、別途の書き込み／再生制限がないと判断し、記録再生装置はホスト２０の命令にしたがって記録／再生を行う。
【００９４】
また、ＰＡＣ_ＩＤを認識できない場合は、ディスクにデータを書き込んだ記録再生装置と現在の記録再生装置のバージョンが異なると判断し、”未知のＰＡＣ規則”および”セグメント”を含むディスク上の記録／再生制限領域を参照し、ホスト２０の命令にしたがって記録／再生を行う。
【００９５】
したがって、マイコン１６は、前記ホストの命令による位置情報およびデータをサーボ１４およびデータプロセッサ１３に伝達し、ピックアップ１１を通して光ディスク上の所望の位置において記録／再生を完了させる。
【００９６】
当業者であれば、本発明の技術的思想または権利範囲から逸脱しない範囲で、上述した本発明の実施形態に対する様々な変更および修正が可能である。したがって、本発明は、添付された特許請求の範囲およびそれに均等なものに属する全ての修正および変更を含むものである。
【００９７】
以上、本発明の実施形態に係る追記型の高密度光ディスクの記録再生方法および装置においては、ＰＡＣを用いて異なるバージョンのドライブのためのディスクのアクセス可能な領域を定義することで、ユーザデータの記録されたデータ領域を一層確実に保護することができ、例えば不正なアクセス（例えばハッキング）を防止または減少させることができるという効果がある。
【００９８】
さらに、ディスクのデータ領域全体または所定の領域を管理するＰＡＣを用いることで、高密度光ディスクで一層効率的なデータの記録および／または再生を行えるという効果がある。
【産業上の利用可能性】
【００９９】
本発明は、大容量のデータを記録するために、例えば光ディスクなどの媒体およびその再生・記録装置に利用することができる。
【図面の簡単な説明】
【０１００】
【図１】本発明の一実施形態による高密度光ディスク上のＰＡＣゾーンを示す図である。
【図２】本発明の一実施形態による高密度光ディスク上のＩＮＦＯ２ゾーンおよびＩＮＦＯ１ゾーンの構成を示す図である。
【図３】本発明の一実施形態による高密度光ディスクに記録されたＰＡＣを示す図である。
【図４】本発明の一実施形態による高密度光ディスク上のＰＡＣを示す図である。
【図５】本発明の一実施形態による”未知のＰＡＣ規則”フィールドを示す図である。
【図６】本発明の一実施形態による高密度光ディスク上のセグメント領域を示す図である。
【図７】本発明の他の実施形態による高密度光ディスク上のＰＡＣを示す図である。
【図８】本発明の他の実施形態による高密度光ディスク上のＰＡＣを示す図である。
【図９】本発明の他の実施形態による高密度光ディスク上のＰＡＣを示す図である。
【図１０】本発明の一実施形態による高密度光ディスク上のセグメント領域に対する制御情報を示す図である。
【図１１】本発明の他の実施形態による高密度光ディスク上のセグメント領域に対する制御情報を示す図である。
【図１２】本発明の一実施形態による光記録再生装置を示すブロック図である。
【符号の説明】
【０１０１】
１０  記録／再生部
１１  ピックアップ
１２  インタフェース
１３  データプロセッサ
１４  サーボ部
１５  メモリ
１６  マイクロコンピュータ
２０  ホストまたはコントローラ
【図１】
0004586077.tif 000002
【図２】
0004586077.tif 000003
【図３】
0004586077.tif 000004
【図４】
0004586077.tif 000005
【図５】
0004586077.tif 000006
【図６】
0004586077.tif 000007
【図７】
0004586077.tif 000008
【図８】
0004586077.tif 000009
【図９】
0004586077.tif 000010
【図１０】
0004586077.tif 000011
【図１１】
0004586077.tif 000012
【図１２】
0004586077.tif 000013